【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
複数の操作領域を有する表面を含む筺体と、前記筺体の動きを検出する第１のセンサと、前記複数の操作領域に対する外力を検出可能な第２のセンサとを有する操作デバイスが操作面に置かれた状態で、ユーザーにより前記操作デバイスが回転するように操作される場合に、前記第１のセンサで検出される動き情報を取得する取得部と、
前記複数の操作領域をそれぞれ画定するための、前記操作デバイスの複数の姿勢の情報と、前記複数の操作領域にそれぞれ対応する複数の操作コマンドの情報とを対応付けて記憶する記憶部と、
前記取得された動き情報に基づき、前記ユーザーにより操作される前記操作デバイスの姿勢を検知する検知部と、
前記検知された前記姿勢を持つ前記筺体の表面のうち前記操作面に接触しない領域であって前記筺体の上部側領域が前記ユーザーにより押されたことが、前記第２のセンサにより検出された場合、前記複数の操作領域のうち、前記上部側領域のうち前記筺体の表面の所定位置に位置する操作領域を画定する姿勢の情報に対応する操作コマンドを生成する生成部と、
少なくとも前記生成された操作コマンドを、前記操作デバイスの操作対象機器へ送信する送信部と
を具備する情報処理装置。
【請求項２】
請求項１に記載の情報処理装置であって、
前記生成部は、前記複数の操作領域のうち、前記３次元内における鉛直軸が通る鉛直操作領域を前記所定位置に位置する操作領域として、前記鉛直操作領域を画定する前記姿勢の情報に対応する前記操作コマンドを生成する
情報処理装置。
【請求項３】
請求項２に記載の情報処理装置であって、
前記生成部は、前記鉛直操作領域が前記ユーザーにより押されたことが検出された場合、前記鉛直操作領域を画定する前記姿勢の情報に対応する前記操作コマンドを生成する
情報処理装置。
【請求項４】
請求項２に記載の情報処理装置であって、
前記生成部は、前記上部側領域のうち、前記鉛直操作領域に隣接する少なくとも１つの操作領域を画定する前記姿勢の情報に対応する前記操作コマンドを生成可能である
情報処理装置。
【請求項５】
請求項１から４のうちいずれか１項に記載の情報処理装置であって、
前記操作対象機器は、前記複数の操作領域にそれぞれ関連する複数の関連画像を表示のために出力可能であり、
前記送信部は、前記複数の関連画像のうち、少なくとも前記所定位置に位置する前記操作領域に関連する関連画像を、前記動き情報に基づき前記操作対象機器に表示のために出力させるために、前記取得された動き情報または前記検知された姿勢の検知情報を前記操作対象機器へ送信する
情報処理装置。
【請求項６】
請求項５に記載の情報処理装置であって、
前記送信部は、前記所定位置に位置する前記操作領域に関連する関連画像を、前記操作デバイスの動きに応じて選択的に強調表示させるために、前記取得された動き情報または前記検知された姿勢の検知情報を前記操作対象機器へ送信する
情報処理装置。
【請求項７】
請求項１から６のうちいずれか１項に記載の情報処理装置であって、
前記操作デバイスの前記筺体の表面のうち、少なくとも、前記操作面に接触する面が球面である
情報処理装置。
【請求項８】
請求項１から７のうちいずれか１項に記載の情報処理装置であって、
前記操作デバイスは、前記筺体の表面に設けられた、前記複数の操作領域にそれぞれ関連する複数の関連画像を表示するディスプレイを有する
情報処理装置。
【請求項９】
請求項５、６、または８のうちいずれか１項に記載の情報処理装置であって、
前記検知部による、前記操作デバイスの姿勢の検知情報の出力を停止するか、または、前記送信部による前記動き情報の前記操作対象機器への送信を停止する停止部と、
前記第２のセンサによる所定の外力が検出された場合、前記停止部による前記送信の停止を解除する解除部と
をさらに具備する情報処理装置。
【請求項１０】
複数の操作領域を有する表面を含む筺体と、前記筺体の動きを検出する第１のセンサと、前記複数の操作領域に対する外力を検出可能な第２のセンサとを有する操作デバイスが操作面に置かれた状態で、ユーザーにより前記操作デバイスが回転するように操作される場合に、前記第１のセンサで検出される動き情報を取得する取得部と、
前記複数の操作領域をそれぞれ画定するための、前記操作デバイスの複数の姿勢の情報と、前記複数の操作領域にそれぞれ対応する複数の操作コマンドの情報とを対応付けて記憶する記憶部と、
前記取得された動き情報に基づき、前記ユーザーにより操作される前記操作デバイスの姿勢を検知する検知部と、
前記検知された前記姿勢を持つ前記筺体の表面のうち前記操作面に接触しない領域であって前記筺体の上部側領域が前記ユーザーにより押されたことが、前記第２のセンサにより検出された場合、前記複数の操作領域のうち、前記上部側領域のうち前記筺体の表面の所定位置に位置する操作領域を画定する姿勢の情報に対応する操作コマンドを生成する生成部と、
少なくとも前記生成された操作コマンドを、前記操作デバイスの操作対象機器へ送信する送信部と、を含む情報処理装置と、
少なくとも前記送信された操作コマンドを受信する受信部と、
前記受信された操作コマンドの情報に基づき、前記複数の操作領域にそれぞれ関連する関連画像を表示のために出力する出力部と、を含む操作対象機器と
を具備する情報処理システム。
【請求項１１】
筺体と、前記筺体の動きを検出する第１のセンサと、前記筺体に対する外力を検出可能な第２のセンサとを有する操作デバイスが操作面に置かれた状態で、ユーザーにより前記操作デバイスが回転するように操作される場合に、前記第１のセンサで検出される動き情報を取得する取得部と、
前記取得された動き情報に基づき、前記ユーザーにより操作される前記操作デバイスの姿勢を検知する検知部と、
前記検知された前記姿勢を持つ前記筺体の表面のうち前記操作面に接触しない領域であって前記筺体の上部側領域が前記ユーザーにより押されたことが、前記第２のセンサにより検出された場合、実行コマンドを生成する生成部と、
前記生成された実行コマンドと、前記取得された動き情報または前記検知された姿勢の検知情報とを、前記操作デバイスの操作対象機器へ送信する送信部と、を含む情報処理装置と、
複数の操作領域をそれぞれ画定するための、仮想的な平面領域に表された複数の座標範囲の情報と、前記複数の操作領域にそれぞれ対応する複数の操作コマンドの情報とを対応付けて記憶する記憶部と、
前記情報処理装置から送信された情報を受信する受信部と、
前記実行コマンドが受信部により受信された場合、前記受信された動き情報または姿勢の検知情報に応じて選択され得る、前記複数の座標範囲のうちの１つの座標範囲に対応する操作コマンドを実行する実行部と、を有する操作対象機器と
を具備する情報処理システム。
【請求項１２】
複数の操作領域を有する表面を含む筺体と、
前記筺体の動きを検出する第１のセンサと、
前記複数の操作領域に対する外力を検出可能な第２のセンサと、
操作デバイスが操作面に置かれた状態で、ユーザーにより前記操作デバイスが回転するように操作される場合に、前記第１のセンサで検出される動き情報を取得する取得部と、
前記複数の操作領域をそれぞれ画定するための、前記操作デバイスの複数の姿勢の情報と、前記複数の操作領域にそれぞれ対応する複数の操作コマンドの情報とを対応付けて記憶する記憶部と、
前記取得された動き情報に基づき、前記ユーザーにより操作される前記操作デバイスの姿勢を検知する検知部と、
前記検知された前記姿勢を持つ前記筺体の表面のうち前記操作面に接触しない領域であって前記筺体の上部側領域が前記ユーザーにより押されたことが、前記第２のセンサにより検出された場合、前記複数の操作領域のうち、前記上部側領域のうち前記筺体の表面の所定位置に位置する操作領域を画定する姿勢の情報に対応する操作コマンドを生成する生成部と、
少なくとも前記生成された操作コマンドを、前記操作デバイスの操作対象機器へ送信する送信部と
を具備する操作デバイス。
【請求項１３】
複数の操作領域を有する表面を含む筺体と、前記筺体の動きを検出する第１のセンサと、前記複数の操作領域に対する外力を検出可能な第２のセンサとを有する操作デバイスの情報処理装置が実行する方法であって、
前記複数の操作領域をそれぞれ画定するための、前記操作デバイスの複数の姿勢の情報と、前記複数の操作領域にそれぞれ対応する複数の操作コマンドの情報とを対応付けて記憶し、
前記操作デバイスが操作面に置かれた状態で、ユーザーにより前記操作デバイスが回転するように操作される場合に、前記第１のセンサで検出される動き情報を取得し、
前記取得された動き情報に基づき、前記ユーザーにより操作される前記操作デバイスの姿勢を検知し、
前記検知された前記姿勢を持つ前記筺体の表面のうち前記操作面に接触しない領域であって前記筺体の上部側領域が前記ユーザーにより押されたことが、前記第２のセンサにより検出された場合、前記複数の操作領域のうち、前記上部側領域のうち前記筺体の表面の所定位置に位置する操作領域を画定する姿勢の情報に対応する操作コマンドを生成し、
少なくとも前記生成された操作コマンドを、前記操作デバイスの操作対象機器へ送信する
情報処理方法。